(57)【特許請求の範囲】
【請求項１】
第１繊維層と第２繊維層とを含む断熱性繊維充填材であって、
前記第１繊維層は
内面と、
前記内面に配設されておりかつ互いに離れている複数の連結部とを含み、
前記第２繊維層は前記内面に装着され、かつ
それぞれ前記複数の連結部と連結されている複数の結合部と、
同一方向に向かって傾く複数の折り畳み部とを含み、前記複数の折り畳み部の各々が２つの隣接する結合部の間に形成され、隣接する折り畳み部に寄り掛かり、かつ前記複数の結合部のうちの２つを覆い、
前記第２繊維層が複数の空気域を含み、かつ前記複数の空気域の各々が前記内面及び前記複数の折り畳み部の各々によって画定されている断熱性繊維充填材。
【請求項２】
２つの隣接する結合部間の前記第２繊維層に沿った距離は２つの隣接する連結部間の距離よりも大きい請求項１に記載の断熱性繊維充填材。
【請求項３】
前記第１繊維層が合成繊維、天然繊維、又はこれらの組み合わせから作製されている請求項１又は請求項２に記載の断熱性繊維充填材。
【請求項４】
前記第２繊維層がステープルファイバー層又はフィラメント繊維層である請求項１、請求項２又は請求項３に記載の断熱性繊維充填材。
【請求項５】
前記複数の結合部がそれぞれ前記複数の連結部と縫い合わされている請求項１から請求項４のいずれか一項に記載の断熱性繊維充填材。
【発明の詳細な説明】
【技術分野】
【０００１】
本発明は充填材に関し、特に断熱性繊維充填材に関する。
【背景技術】
【０００２】
寝袋又はコート等の繊維製品は、寒中に人体を低体温症にならずに暖かく保つために使用される。
【０００３】
図７に示す寝袋７０は次のようにして製造される。２つの外側布地層７１が互いに重ねられて複数の縫い目部７２によって縫い合わされ、複数の充填空間が形成される。複数の縫い目部７２は外側布地層７１に機械によって間隔を空けて縫われる。これら複数の充填空間の各々は外側布地層７１及び２つの隣接する縫い目部７２によって画定される。綿７３等の繊維がこれら複数の充填空間の各々に詰められて寝袋７０の製造が完了する。寝袋７０はそれら複数の充填空間に詰め込まれた布地によって人体を暖かく保つが、この繊維は、縫い目部７２が縫われるまで上記充填空間に詰めることができない。それゆえ、寝袋７０の製造は複雑で、多大な時間及び人手を要する。
【０００４】
寝袋７０の複雑で非常に時間がかかる製造に関して、図８に示す断熱ピース８０が設けられる。断熱ピース８０は以下のようにして製造される。繊維層８２が２つの表面布地層８１の間に置かれる。繊維層８２及び表面布地層８１が高周波加熱によって部分的に溶融されて複数の接合部８３が間隔を空けて形成され、これにより断熱ピース８０が得られる。断熱ピース８０は、最初に複数の充填空間を形成して続いて繊維を詰める代わりに、適切な裁断及び縫製を経て、図７に示す寝袋７０等の繊維製品として作り上げられる。それゆえ、寝袋７０の製造過程は簡便になり、その所要時間は短縮される。
【０００５】
繊維産業では、繊維製品が冷気の浸透を効果的に遮断することができない部分はその繊維製品のコールドスポット又は低温部と呼ばれる。寝袋７０の機械によって縫われた複数の縫い目部７２には外側布地層７１を貫いて切り込み（スリット）が形成されているため、この切り込みを通って冷気が寝袋７０の中へと侵入することが可能である。加えて、断熱ピース８０の接合部８３は薄いので、接合部８３は冷気の浸透を効果的に遮断して熱損失を少なくすることができない。従って、寝袋７０の縫い目部７２と断熱ピース８０の接合部８３とは、繊維産業でいうコールドスポットである。縫い目部７２及び接合部８３は冷気を遮断するには効果的ではない。それゆえ、この寝袋７０及び断熱ピース８０は人体を暖かく保つには不十分である。
【発明の概要】
【発明が解決しようとする課題】
【０００６】
この短所を克服するため、本発明は上述の短所を緩和又は解消する断熱性繊維充填材を提供する。
【課題を解決するための手段】
【０００７】
本発明は、冷気を遮断して熱放散を効果的に減らし、その結果として人体を暖かく保つ断熱性繊維充填材を提供することを目的とする。
【０００８】
本発明に係る断熱性繊維充填材は第１繊維層と第２繊維層とを含む。この第１繊維層は、内面と、この内面に配設されている複数の連結部とを含む。複数の連結部は互いに離れている。第２繊維層は上記内面に装着され、かつこの第２繊維層はそれぞれ上記複数の連結部と連結されている複数の結合部と、同一方向に向かって傾く複数の折り畳み部とを含む。これら複数の折り畳み部の各々は２つの隣接する結合部の間に形成され、隣接する折り畳み部に寄り掛かり、かつ上記複数の結合部のうちの少なくとも１つを覆う。
【０００９】
上記第２繊維層が複数の空気域を含むことが好ましい。これら複数の空気域の各々は上記内面及び上記複数の折り畳み部の各々によって画定されている。
【００１０】
上記複数の折り畳み部の各々が上記複数の結合部のうちの１つを覆うことが好ましい。
【００１１】
上記複数の折り畳み部の各々が上記複数の結合部のうちの少なくとも２つを覆うことが好ましい。上記複数の折り畳み部の各々が上記複数の結合部のうちの２つを覆うことがより好ましい。
【００１２】
２つの隣接する結合部間の距離が２つの隣接する連結部間の距離よりも大きいことが好ましい。
【００１３】
上記第１繊維層が合成繊維、天然繊維、又はこれらの組み合わせから作製されていることが好ましい。上記第１繊維層がステープルファイバー（短繊維ともいう）層であることがより好ましい。
【００１４】
上記第２繊維層が、天然ステープルファイバー、合成ステープルファイバー、又はこれらの組み合わせを含むステープルファイバー層であることが好ましい。
【００１５】
上記第２繊維層が天然フィラメント繊維、合成フィラメント繊維、又はこれらの組み合わせを含むフィラメント繊維層であることが好ましい。
【００１６】
さらに、上記天然ステープルファイバーは植物繊維又は鉱物繊維である。
【００１７】
上記複数の結合部がそれぞれ上記複数の連結部と縫い合わされていることが好ましい。
【００１８】
当該断熱性繊維充填材がコート又は寝袋等の防寒用繊維製品に応用されるとき、この防寒用繊維製品の外部の冷気及び人体と防寒用繊維製品の内部との間の熱はこの断熱性繊維充填材によって遮断され、これによりこの冷気及び熱は、それぞれ内側及び外側に伝わることがほとんどできない。それゆえ、この防寒用繊維製品が人体を暖かく保つ能力が高められる。加えて、当該断熱性繊維充填材はそのまま防寒用繊維製品の内層として働くため、防寒用繊維製品の製造過程は簡便になり、その製造時間は短縮される。
【００１９】
従って、当該断熱性繊維充填材は、防寒用繊維製品が人体を暖かく保つ能力を高めるため、及び製造過程を簡便にして防寒用繊維製品の製造時間を短縮するために有益である。
【００２０】
本発明の他の目的、利点及び新規な特徴は、添付の図面と合わせて考察すれば以下の詳細な説明からより明らかになるであろう。
【図面の簡単な説明】
【００２１】
【図１】本発明に係る断熱性繊維充填材の一実施形態の斜視図である。
【図２】図１に示す断熱性繊維充填材の側断面図である。
【図３】本発明に係る断熱性繊維充填材の別の実施形態の側断面図である。
【図４】図１に示す断熱性繊維充填材の概略操作図である。
【図５】図１に示す断熱性繊維充填材から作製される防寒用繊維製品（コート）の概略平面図である。
【図６】図１に示す断熱性繊維充填材から作製される防寒用繊維製品（寝袋）の概略平面図である。
【図７】先行技術に係る寝袋の側断面図である。
【図８】先行技術に係る断熱ピースの側断面図である。
【発明を実施するための形態】
【００２２】
図１に示すように、本発明に係る断熱性繊維充填材は第１繊維層１０と第２繊維層２０を含む。
【００２３】
図１及び図２に示すように、第１繊維層１０は内面１１１と、内面１１１の反対側の外面１１２と、上記内面１１１に配設されている複数の連結部１２とを含む。複数の連結部１２は互いに離れている。
【００２４】
図１及び図２に示すように、第２繊維層２０は内面１１１に装着されている。第２繊維層２０は、複数の結合部２１と、複数の折り畳み部２２と、複数の空気域２３とを含む。複数の結合部２１はそれぞれ複数の連結部１２と連結されており、かつ２つの隣接する結合部２１間の第２繊維層２０に沿った距離は２つの隣接する連結部１２間の第１繊維層１０に沿った距離よりも大きく、複数の折り畳み部２２の各々は２つの隣接する結合部２１の間に形成されている。複数の折り畳み部２２は同一方向に向かって傾いている。複数の折り畳み部２２の各々は隣接する折り畳み部２２に寄り掛かっている。複数の折り畳み部２２の各々は上記複数の結合部２１のうちの少なくとも１つを覆う。複数の空気域２３の各々は複数の折り畳み部２２の各々及び内面１１１によって画定されている。
【００２５】
図２に示すように、一実施形態では、複数の折り畳み部２２の各々は複数の結合部２１のうちの１つを覆う。複数の結合部２１はそれぞれ複数の連結部１２と縫い合わされている。第２繊維層２０は天然繊維から作製されるステープルファイバー層である。第１繊維層１０は合成繊維から作製される。図３に示すように、一実施形態では、複数の折り畳み部２２Ａの各々は複数の結合部２１Ａのうちの２つ以上を覆う。さらに、複数の折り畳み部２２Ａの各々は複数の結合部２１Ａのうちの２つを覆う。一実施形態では、第１繊維層１０は天然繊維から作製されるステープルファイバー層である。
【００２６】
図４〜６に示すように、当該断熱性繊維充填材は２枚の布地３０、４０の間に置かれる。布地３０、４０はそれぞれ第１繊維層１０及び第２繊維層２０と連結されている。断熱性繊維充填材の縁（余白）が布地３０、４０の縁（余白）と縫い合わされて、コート（図５に示す）又は寝袋（図６に示す）等の防寒用繊維製品５０、６０が得られる。図４〜６に示すように、第１繊維層１０と連結されている布地４０は防寒用繊維製品５０、６０の内面として働く。第２繊維層２０と連結されている布地３０は防寒用繊維製品５０、６０の外面として働く。一実施形態では、第１繊維層と連結されている布地が防寒用繊維製品の外面として働き、第２繊維層と連結されている布地が防寒用繊維製品の内面として働く。
【００２７】
図２及び図４〜６に示すように、防寒用繊維製品５０、６０の外部にある冷気が第２繊維層２０と連結されている布地３０を通って吹き込むとき、この冷気は当該断熱性繊維充填材によって遮断される。とりわけ、複数の折り畳み部２２が同一方向に向かって傾いており、複数の折り畳み部２２の各々が隣接する折り畳み部２２に寄り掛かり、複数の折り畳み部２２の各々が上記複数の結合部２１のうちの少なくとも１つを覆うので、冷気は複数の折り畳み部２２によって遮断され、このため冷気は、結合部２１及び連結部１２を通過することにより防寒用繊維製品５０、６０の内部に浸透しにくい。加えて、人体と防寒用繊維製品５０、６０の内部との間の熱が第１繊維層１０と連結されている布地４０を通過するとき、その熱は当該断熱性繊維充填材によって遮断される。とりわけ、複数の連結部１２及び複数の結合部２１を通過する熱は複数の折り畳み部２２によって遮断され、このため熱は、第２繊維層２０を通過することにより防寒用繊維製品５０、６０の内部から外へ放散しにくい。
【００２８】
それゆえ、同一方向に向かって傾きかつ隣接する折り畳み部２２に寄り掛かり、そして各々が複数の結合部２１のうちの少なくとも１つを覆う複数の折り畳み部２２によって、当該断熱性繊維充填材は冷気を効果的に遮断し、熱放散を減少させ、このため防寒用繊維製品５０、６０は、効果的に人体を暖かく保つ。
【００２９】
また、当該断熱性繊維充填材は、コート又は寝袋等の防寒用繊維製品５０、６０の外面及び内面として働く布地３０、４０の間に配設される。つまり、当該断熱性繊維充填材は衣類産業及び寝袋産業に適用でき、そのままこのコート及び寝袋の内層として働く。従って、このコート及び寝袋の製造過程は簡便になり、その製造時間は短縮される。
【００３０】
加えて、図４に示すように、第１繊維層１０と連結されている布地４０を通過する熱は空気域２３内の空気によっては第２繊維層２０に伝えられ難いので、熱は、第２繊維層２０と連結されている布地３０によって外側に向かってさらに放散しにくくなる。結果として、熱は人体と防寒用繊維製品５０、６０の内部との間に保たれ、このため防寒用繊維製品５０、６０は効果的に人体を暖かく保つ。
【００３１】
さらに、第２繊維層２０は固定されていて結合部２１で第１繊維層１０と連結されており、上記ステープルファイバー層はふわふわしており、圧縮可能で柔軟性をもつ。第２繊維層２０がステープルファイバー層であるとき、複数の折り畳み部２２は布地３０と第１繊維層１０との間で人体の形状に曲げられ圧縮される。従って、当該断熱性繊維充填材は人体にフィットし、断熱性繊維充填材と人体との間の隙間は狭まる。これにより、この隙間を通って放散される人体の熱は減少する。その上、当該断熱性繊維充填材は、保管のために簡単に圧縮される。
【符号の説明】
【００３２】
１０  第１繊維層
１１１  内面
１１２  外面
１２  連結部
２０  第２繊維層
２１、２１Ａ  結合部
２２、２２Ａ  折り畳み部
２３  空気域
３０、４０  布地
５０、６０  防寒用繊維製品  
【図１】
0006328156.tif 000002
【図２】
0006328156.tif 000003
【図３】
0006328156.tif 000004
【図４】
0006328156.tif 000005
【図５】
0006328156.tif 000006
【図６】
0006328156.tif 000007
【図７】
0006328156.tif 000008
【図８】
0006328156.tif 000009